(57)【要約】【課題】部品交換時における作業性の向上およびコスト低減を実現する制御弁を提供すること。【解決手段】流路を形成する弁本体２と、前記弁本体２内で駆動する弁体３と、前記弁体３を覆う弁体蓋４と、前記弁体３を駆動させ、前記弁体蓋４に固定された動力源５とを備え、前記弁体蓋４と前記弁本体２とを着脱できる構成としたことを特徴とする制御弁で、これによって、部品交換時には、動力源５を組み付けた弁体蓋４を、弁本体２から取り外すことで、故障部品を交換することができ、その結果、部品交換時における作業性の向上およびコスト低減を実現できる。【選択図】図１
2014020519.tif 000002
【特許請求の範囲】
【請求項１】
流路を形成する弁本体と、前記弁本体内で駆動する弁体と、前記弁体を覆う弁体蓋と、前記弁体を駆動させ、前記弁体蓋に固定された動力源とを備え、前記弁体蓋と前記弁本体とを着脱できる構成としたことを特徴とする制御弁。
【請求項２】
前記弁体蓋を前記弁本体に装着するために、止め具を用いたことを特徴とする請求項１に記載の制御弁。
【請求項３】
前記弁本体と前記弁体蓋の相対位置および前記弁体蓋と前記動力源の相対位置を規定する構成としたことを特徴とする請求項１または２記載の制御弁。
【請求項４】
前記請求項１〜３のいずれか１項に記載の制御弁を搭載した給湯機。
【発明の詳細な説明】
【技術分野】
【０００１】
本発明は、制御弁に関するものである。
【背景技術】
【０００２】
一般的に貯湯式給湯機は、加熱手段により貯湯槽内の低温水を加熱することにより高温水とし、その高温水を同じ貯湯槽内へ貯湯し、低温水と水回路内で混合することにより目標温度に制御して熱利用端末へ供給している。
【０００３】
そして、従来この種の水回路内に搭載されている流路可変機構を有する制御弁１は、湯水混合弁、流量調整弁、切替え弁などとして用いられ、様々な機能を有しているが、基本構造としては、図３に示すように弁本体２と弁体３と弁体蓋４と動力源５とねじ６により構成されている。
【０００４】
そして、前記弁体３を押さえ込むために前記弁体蓋４で挿入口を塞ぎ、前記弁体蓋４を前記ねじ６で前記弁本体２に締結することで固定し、前記動力源５を前記弁本体２に取り付けることにより前記弁体３を前記動力源５により制御することが可能な構成としている（例えば、特許文献１、特許文献２参照）。
【先行技術文献】
【特許文献】
【０００５】
【特許文献１】特開２０１１−２３６９８０号公報
【特許文献２】特開２０１１−２０２６９７号公報
【発明の概要】
【発明が解決しようとする課題】
【０００６】
しかしながら、前記従来の構成では、前記弁体３、前記弁体蓋４、前記動力源５が故障した場合、部品交換、あるいは修理のため、ねじ６を外す必要があるが、ねじは一般的に樹脂部品に締結した場合、一度取り外し再締結した場合には締結力が弱くなることが知られているため、ねじを外し、同一弁本体に再度ねじを締結することは、部品の破損、水漏れにつながり、安全性の面からふさわしくない。
【０００７】
そのため、前記弁体３、前記弁体蓋４、前記動力源５が故障した場合、前記弁本体２ごと部品を交換する必要がある。よって交換部品点数が、故障した部品数よりも多くなるため、サービスパーツのコストが増大する。
【０００８】
本発明は、前記従来の課題を解決するもので、部品交換時における作業性の向上およびコスト低減を実現する制御弁を提供することを目的とする。
【課題を解決するための手段】
【０００９】
前記従来の課題を解決するために、本発明の制御弁は、流路を形成する弁本体と、前記弁本体内で駆動する弁体と、前記弁体を覆う弁体蓋と、前記弁体を駆動させ、前記弁体蓋に固定された動力源とを備え、前記弁体蓋と前記弁本体とを着脱できる構成としたことを特徴とするものである。
【００１０】
これによって、制御弁の弁体、弁体蓋、動力源が故障した際の、交換部品点数増加を防止でき、部品交換時における作業性の向上およびコスト低減を実現できる。
【発明の効果】
【００１１】
本発明によれば、部品交換時における作業性の向上およびコスト低減を実現する制御弁を提供できる。
【図面の簡単な説明】
【００１２】
【図１】（ａ）本発明の実施の形態１における制御弁の断面図（ｂ）同制御弁の弁体蓋と動力源の断面図（ｃ）同制御弁の弁体蓋の上面図
【図２】本発明の実施の形態１における他の制御弁の断面図
【図３】従来の制御弁の断面図
【発明を実施するための形態】
【００１３】
第１の発明は、流路を形成する弁本体と、前記弁本体内で駆動する弁体と、前記弁体を覆う弁体蓋と、前記弁体を駆動させ、前記弁体蓋に固定された動力源とを備え、前記弁体蓋と前記弁本体とを着脱できる構成としたことを特徴とする制御弁である。
【００１４】
これによって、部品交換時には、動力源を組み付けた弁体蓋を、弁本体から取り外すことで、故障部品を交換することができ、その結果、制御弁の弁体、弁体蓋、動力源が故障した際の、交換部品点数増加を防止でき、部品交換時における作業性の向上およびコスト低減を実現できる。
【００１５】
第２の発明は、前記弁体蓋を前記弁本体に装着するために、止め具を用いたことを特徴とするもので、部品交換時には、止め具の着脱のみで容易に、動力源を組み付けた弁体蓋を弁本体から取り外すことができ、部品交換時の作業性を向上できる。
【００１６】
第３の発明は、前記弁本体と前記弁体蓋の相対位置および前記弁体蓋と前記動力源の相対位置を規定する構成としたことを特徴とするものである。
【００１７】
これによって、前記弁本体と前記弁体蓋、及び前記弁体蓋と前記動力源の相対位置が一意的に決まり、誤取付け等の組立上の不具合を予防することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１における給湯機に搭載した制御弁１の構造を示したものである。
【００２０】
制御弁１は、弁本体２と、弁体３と、弁体蓋４と、動力源５と、ねじ６と、止め輪７で構成されており、前記弁体蓋４と前記動力源５は、前記ねじ６を弁体蓋にねじ込むことで固定されている。
【００２１】
また、前記弁体蓋４には、２つの前記ねじ６の取り付け位置の中点に関して非点対称な位置に穴が設けられ、前記動力源５には前記弁体蓋４に設けた穴の位置にピンが設けられているため、組立時には穴にピンがはまることで、正しい相対位置でのみ取付けが可能になっている。
【００２２】
また、前記弁本体２と前記弁体蓋４の嵌め合いの形状を、２つの前記ねじ６の取り付け位置の中点に関して非点対称な形状にすることで、組立時には正しい相対位置でのみ取付けが可能になっている。
【００２３】
これらの構成は、前記弁本体２と前記弁体蓋４、及び前記弁体蓋４と前記動力源５の相対位置が一意的に決まり、誤取付け等の組立上の不具合を予防することを目的とするものだが、この構成と形状の限りではない。
【００２４】
組立時には、前記弁本体２に前記弁体３を挿入し、前記動力源５を組み付けた前記弁体蓋４をはめ込み、前記止め輪７を前記弁本体２に挿入し、前記動力源５を組み付けた前記弁体蓋４が外れないようにすることで、制御弁１を組み立てることができる。
【００２５】
部品交換時には、前記止め輪７を前記弁本体２から取り外し、前記動力源５を組み付けた前記弁体蓋４を取り外すことで、該当故障部品を交換することができる。
【００２６】
また、サービスパーツとして前記動力源５を組み付けた前記弁体蓋４を用意しておくことで、ドライバーなどの工具を使わず前記止め輪７の着脱のみで、前記動力源５を容易に交換することが可能となる。
【００２７】
図２は、１つの弁本体２に対し、２つの動力源５を搭載した制御弁１に本発明を適用した場合の断面図である。
【００２８】
制御弁は２つの制御弁の弁本体、及び、各種接続継手などを集約することで、部品点数削減によるコストダウン、省スペース化を図ったものだが、一般的な１つの動力源を有する制御弁に対し、２つの動力源を有する制御弁は、弁本体が２つの動力源と共用であり、さらに従来の仕様では１つの動力源が故障した際でも弁本体を交換する必要があったため、動力源の故障の際には弁本体のみならず、正常な他の動力源も交換しなければならなかった。
【００２９】
なおかつ、２つの動力源を有する制御弁の弁本体は、複数の機能を満足する必要があるため、複雑な構成になることが多く、弁本体の価格は高くなりやすい。
【００３０】
よって、一体化混合弁においてはサービスパーツのコストが高くなりやすいのである。
【００３１】
本発明を適用した制御弁１においては、１つの動力源５が故障した際は、対象の動力源５と、弁体蓋４をセットで交換するだけでよく、サービスパーツのコストを大幅に削減することが可能である。
【００３２】
これらの構成は、２つの動力源を搭載した制御弁に対し、サービスパーツのコストを削減することを目的とするものであるが、動力源の員数、弁本体の形状はこの限りではない。
【産業上の利用可能性】
【００３３】
本発明の制御弁は、制御弁を有するあらゆる機器への転用が可能であり、例えば、給湯機、温水暖房機などの温水機器に幅広く適用することができる。
【符号の説明】
【００３４】
１  制御弁
２  弁本体
３  弁体
４  弁体蓋
５  動力源
６  ねじ
７  止め輪
【図１】
2014020519.tif 000003
【図２】
2014020519.tif 000004
【図３】
2014020519.tif 000005